(57)【要約】【課題】  センサ部材により蓋が自動的に開くセンサ付きゴミ箱を提供する。【解決手段】  上端に開口が形成される箱本体と、該開口に設けられる蓋を備えるセンサ付きゴミ箱であって、  前記蓋は、ベースと後蓋部と前蓋部からなり、該ベースに内部に減速ギア部材を収容する収容部が形成され、該減速ギア部材の内部に複数の歯車が設けられると共に、一側にモータが設けられ、該モータの伝動軸が歯車と噛合され、該収容部の後側に電池座が設けられ、下側に閉合蓋が設けられ、又、該電池座の外側に回路板と、スイッチロッドを有するスイッチが設けられ、該ベースの一側に中央に中空部を有するフレームが設けられ、該フレームに前蓋部の開閉を制御するセンサ部材が設けられることを特徴とする。【選択図】  図１
0003113458.tif 000002
【実用新案登録請求の範囲】
【請求項１】
上端に開口が形成される箱本体と、該開口に設けられる蓋を備えるセンサ付きゴミ箱であって、
前記蓋は、ベースと後蓋部と前蓋部からなり、該ベースに内部に減速ギア部材を収容する収容部が形成され、該減速ギア部材の内部に互いに噛合される複数の歯車が設けられると共に、一側にモータが設けられ、該モータの伝動軸が減速ギア部材の内部に伸びこまれると共に、該歯車と噛合され、該収容部の後側に上方へ突出する電池座が設けられ、該電池座の内部に電池が設けられると共に、下側に該電池を位置決めるための閉合蓋が設けられ、又、該電池座の外側に回路板と、スイッチロッドを有するスイッチが設けられ、該ベースの一側に中央に中空部を有するフレームが設けられ、該フレームにセンサ部材が設けられ、
前記後蓋部の内部が中空状であり、後側に中空の本体部が設けられ、該本体部の上面の後側に孔が形成され、前側に取付座を有する溝が形成され、該取付座に貫通孔が形成され、取付座の側壁の間に取付溝が形成され、又、後蓋部の一側に前記ベースのフレームと対応する中空部を有するフレームが設けられ、前記スイッチのスイッチロッドが本体部の孔を通じて延出されると共に、外側にボタンが設けられ、
前記前蓋部の内部が中空状であり、後側に上方へ突出する収容凸部が設けられ、該収容凸部の後側に角孔を有する一対の枢設プレートが設けられ、該枢設プレートの間に角形ロッドを有する歯車が設けられ、該角形ロッドの両端に角孔と係合する矩形のストッパーが設けられ、該取付溝に角形ロッドが位置決められ、該取付座の上側に固定プレートが設けられ、前記歯車と減速ギア部材の内部における歯車は互いに噛合することを特徴とするセンサ付きゴミ箱。
【請求項２】
前記ベースに貫通孔を有する複数の位置決めパイプが設けられ、フレームに複数の貫通孔が形成され、又、後蓋部、本体部及びフレームに前記位置決めパイプと貫通孔と対応するねじ孔が形成されることを特徴とする請求項１に記載のセンサ付きゴミ箱。
【考案の詳細な説明】
【技術分野】
【０００１】
本考案は、特にセンサ部材により蓋が自動的に開くセンサ付きゴミ箱に関するものである。
【背景技術】
【０００２】
従来のゴミ箱は、足でペダルを踏み込むことにより、蓋を開けるものであり、箱本体の下端にペダルとＬ形連動ロッド組が設けられ、該Ｌ形連動ロッド組の上端に蓋が連結されると共に、下端にペダルが連結される構成であるので、使用者はペダルを踏み込んで、蓋を開ければごみを箱本体内に捨てることができる。
【０００３】
しかし、前記従来のゴミ箱のＬ形連動ロッド組は、箱本体の外側に露出することから、塵埃などによりＬ形連動ロッド組がスムーズに作動しなくなり、蓋で箱本体を封止できなくなるという問題があった。更に、該ゴミ箱は、足の踏み込みによって開閉を行うので、身体障害者などに対しては、非常に不便であった。
【０００４】
前記の問題に鑑み、その後、蓋の自動開閉を行うゴミ箱が記載された特公平５−３０７０２号が公告された。
【考案の開示】
【考案が解決しようとする課題】
【０００５】
しかしながら、前記特公平５−３０７０２号に記載されたゴミ箱の伝動機構は、箱本体の下部に設置されることから、箱本体内に収容したゴミに含まれる水分の滲みこみにより破損する恐れがあるので、更に改良する余地があった。
【０００６】
そこで、案出されたのが本考案であって、センサ部材により蓋が自動的に開くセンサ付きゴミ箱を提供することを目的としている。
【課題を解決するための手段】
【０００７】
本願の請求項１の考案は、上端に開口が形成される箱本体と、該開口に設けられる蓋を備えるセンサ付きゴミ箱であって、
前記蓋は、ベースと後蓋部と前蓋部からなり、該ベースに内部に減速ギア部材を収容する収容部が形成され、該減速ギア部材の内部に互いに噛合される複数の歯車が設けられると共に、一側にモータが設けられ、該モータの伝動軸が減速ギア部材の内部に伸びこまれると共に、該歯車と噛合され、該収容部の後側に上方へ突出する電池座が設けられ、該電池座の内部に電池が設けられると共に、下側に該電池を位置決めるための閉合蓋が設けられ、又、該電池座の外側に回路板と、スイッチロッドを有するスイッチが設けられ、該ベースの一側に中央に中空部を有するフレームが設けられ、該フレームにセンサ部材が設けられ、
前記後蓋部の内部が中空状であり、後側に中空の本体部が設けられ、該本体部上面の後側に孔が形成され、前側に取付座を有する溝が形成され、該取付座に貫通孔が形成され、取付座の側壁の間に取付溝が形成され、又、後蓋部の一側に前記ベースのフレームと対応する中空部を有するフレームが設けられ、前記スイッチのスイッチロッドが本体部の孔を通じて延出されると共に、外側にボタンが設けられ、
前記前蓋部の内部が中空状であり、後側に上方へ突出する収容凸部が設けられ、該収容凸部の後側に角孔を有する一対の枢設プレートが設けられ、該枢設プレートの間に角形ロッドを有する歯車が設けられ、該角形ロッドの両端に角孔と係合する矩形のストッパーが設けられ、該取付溝に角形ロッドが位置決められ、該取付座の上側に固定プレートが設けられ、前記歯車と減速ギア部材の内部における歯車は互いに噛合することを特徴とするセンサ付きゴミ箱、を提供する。
【０００８】
本願の請求項２の考案は、前記ベースに貫通孔を有する複数の位置決めパイプが設けられ、フレームに複数の貫通孔が形成され、又、後蓋部、本体部及びフレームに前記位置決めパイプと貫通孔と対応するねじ孔が形成されることを特徴とする請求項１に記載のセンサ付きゴミ箱、を提供する。
【考案の効果】
【０００９】
本考案は上記の課題を解決するものであり、蓋にセンサ部材が設けられると共に、内部にセンサ部材からの信号によって前蓋部の開閉を制御する減速ギア部材が設けられることにより、人がゴミ箱に近づくと、前蓋部を自動的に開けることができるので、使用の利便性が高い。又、前蓋部の開閉を制御する機構がゴミ箱の上方における蓋に設置されることにより、ゴミに含まれる水の滲みこみによる損壊問題を防止できる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るセンサ付きゴミ箱の斜視図であり、図２は本考案に係るセンサ付きゴミ箱の分解斜視図であり、図３は本考案に係るセンサ付きゴミ箱の蓋を示す分解斜視図であり、図４は本考案に係るセンサ付きゴミ箱の蓋を示す部分分解斜視図であり、図５は本考案に係るセンサ付きゴミ箱の使用状態を示す図である。
【００１２】
図１乃至図４に示すように、本考案に係るセンサ付きゴミ箱は、上端に開口（１１）が形成される箱本体（１０）と、該開口（１１）に設けられる蓋（２０）を備える。
【００１３】
前記蓋（２０）は、ベース（２１）と後蓋部（３０）と前蓋部（４０）からなり、該ベース（２１）に内部に減速ギア部材（２９）を収容する収容部（２２）が形成され、該減速ギア部材（２９）の内部に互いに噛合される複数の歯車（２９２）が設けられると共に、一側にモータ（２９１）が設けられ、該モータ（２９１）の伝動軸が減速ギア部材（２９）の内部に伸びこまれると共に、該歯車（２９２）と噛合され、該収容部（２２）の後側に上方へ突出する電池座（２３）が設けられ、該電池座（２３）の内部に電池（２３２）が設けられると共に、下側に該電池（２３２）を位置決めるための閉合蓋（２３１）が設けられ、又、該電池座（２３）の外側に回路板（２７）と、スイッチロッド（２８１）を有するスイッチ（２８）が設けられ、該ベース（２１）の一側に中央に中空部（２６１）を有するフレーム（２６）が設けられ、該フレーム（２６）にセンサ部材（２７１）が設けられる。
【００１４】
前記後蓋部（３０）の内部が中空状であり、後側に中空の本体部（３１）が設けられ、該本体部（３１）の上面の後側に孔（３１１）が形成され、前側に取付座（３３）を有する溝（３２）が形成され、該取付座（３３）に貫通孔（３３１）が形成され、取付座（３３）の側壁の間に取付溝（３３２）が形成され、又、後蓋部（３０）の一側に前記ベース（２１）のフレーム（２６）と対応する中空部（３４１）を有するフレーム（３４）が設けられ、前記スイッチ（２８）のスイッチロッド（２８１）が本体部（３１）の孔（３１１）を通じて延出されると共に、外側にボタン（２８２）が設けられる。
【００１５】
前記前蓋部（４０）の内部が中空状であり、後側に上方へ突出する収容凸部（４１）が設けられ、該収容凸部（４１）の後側に角孔（４２１）を有する一対の枢設プレート（４２）が設けられ、該枢設プレート（４２）の間に角形ロッド（４３１）を有する歯車（４３）が設けられ、該角形ロッド（４３１）の両端に角孔（４２１）と係合する矩形のストッパー（４３２）が設けられ、該取付溝（３３２）に角形ロッド（４３１）が位置決められ、該取付座（３３）の上側に固定プレート（３５）が設けられ、又、前記歯車（４３）と減速ギア部材（２９）の内部における歯車（２９２）は互いに噛合する。
【００１６】
前記後蓋部（３０）と本体部（３１）はベース（２１）と電池座（２３）の上側に設置され、該ベース（２１）に貫通孔を有する複数の位置決めパイプ（２５）が設けられ、フレーム（２６）に複数の貫通孔（２６２）が形成され、又、後蓋部（３０）、本体部（３１）及びフレーム（３４）に前記位置決めパイプ（２５）と貫通孔（２６２）と対応するねじ孔が形成され、ねじによって位置決めパイプ（２５）の貫通孔、貫通孔（２６２）及びねじ孔を貫通することにより、後蓋部（３０）とベース（２１）を組合わせる。
【００１７】
又、前記電池座（２３）の外側に回路板（２７）とスイッチ（２８）を位置決めるためにねじ孔（２４１）を有する複数のロッド（２４）が設けられ、ねじが回路板（２７）とスイッチ（２８）を貫通してロッド（２４）のねじ孔（２４１）と螺合することにより、回路板（２７）とスイッチ（２８）を電池座の外側に固定させる。
【００１８】
又、前記モータ（２９１）は、回路板（２７）と電気接続すると共に、センサ部材（２７１）からの感知信号により、前蓋部（４０）の開閉を制御する。
【産業上の利用可能性】
【００１９】
本考案は上記の構成を有し、蓋にセンサ部材が設けられると共に、内部にセンサ部材からの信号によって前蓋部の開閉を制御する減速ギア部材が設けられることにより、人がゴミ箱に近づくと、前蓋部を自動的に開けることができるので、使用の利便性が高い。又、前蓋部の開閉を制御する機構がゴミ箱の上方における蓋に設置されることにより、ゴミに含まれる水の滲みこみによる損壊問題を防止できる。
【図面の簡単な説明】
【００２０】
【図１】本考案に係るセンサ付きゴミ箱の斜視図である。
【図２】本考案に係るセンサ付きゴミ箱の分解斜視図である。
【図３】本考案に係るセンサ付きゴミ箱の蓋を示す分解斜視図である。
【図４】本考案に係るセンサ付きゴミ箱の蓋を示す部分分解斜視図である。
【図５】本考案に係るセンサ付きゴミ箱の使用状態を示す図である。
【符号の説明】
【００２１】
１０        箱本体
１１        開口
２０        蓋
２１        ベース
２２        収容部
２３        電池座
２３１      閉合蓋
２３２      電池
２４        ロッド
２４１      ねじ孔
２５        位置決めパイプ
２６        フレーム
２６１      中空部
２６２      貫通孔
２７        回路板
２７１      センサ部材
２８        スイッチ
２８１      スイッチロッド
２８２      ボタン
２９        減速ギア部材
２９１      モータ
２９２      歯車
３０        後蓋部
３１        本体部
３１１      孔
３２        溝
３３        取付座
３３１      貫通孔
３３２      取付溝
３４        フレーム
３４１      中空部
３５        固定フレーム
４０        前蓋部
４１        収容凸部
４２        枢設プレート
４２１      角孔
４３        歯車
４３１      角形ロッド
４３２      ストッパー
【図１】
0003113458.tif 000003
【図２】
0003113458.tif 000004
【図３】
0003113458.tif 000005
【図４】
0003113458.tif 000006
【図５】
0003113458.tif 000007